(57)【要約】【課題】野菜ケースを冷蔵庫本体から取り外すことなく洗浄し、容易に排水することができる冷蔵庫を提供する。【解決手段】冷蔵庫本体１の上部に冷蔵室７、下部に冷凍室１０、冷蔵室７と冷凍室１０の間に野菜室９を各々備え、野菜室９の前面に設けられた野菜室扉５とともに引き出される野菜ケース２０と、この野菜ケース２０の底部に設けられた排水穴と、この排水穴を閉塞する排水栓２８と、を備え、野菜ケース２０を引き出したときに、野菜ケース２０の排水穴の下にバケツ１００を置けるように野菜ケース２０を配設した。また、野菜ケース２０の排水穴は野菜室扉５側の底部に設けられ、野菜ケース２０を引き出したときに、野菜ケース２０を下方へ傾斜させる引出機構を備えた。【選択図】図１
2006084127.tif 000002
【特許請求の範囲】
【請求項１】
冷蔵庫本体の上部に冷蔵室、下部に冷凍室、前記冷蔵室と前記冷凍室の間に野菜室を各々備え、
前記野菜室の前面に設けられた野菜室扉とともに引き出される野菜ケースと、
この野菜ケースの底部に設けられた排水穴と、
この排水穴を閉塞する排水栓と、
を備え、
前記野菜ケースを引き出したときに、前記野菜ケースの前記排水穴の下にバケツを置けるように前記野菜ケースを配設したことを特徴とする冷蔵庫。
【請求項２】
前記野菜ケースの排水穴は前記野菜室扉側の底部に設けられ、
前記野菜ケースを引き出したときに、前記野菜ケースを下方へ傾斜させる引出機構を備えたことを特徴とする請求項１記載の冷蔵庫。
【請求項３】
前記野菜ケースの底部を前方に向けて低く傾斜させ、前記排水穴を前記野菜ケースの最も低い底部に設けたことを特徴とする請求項１記載の冷蔵庫。
【請求項４】
前記冷蔵庫本体が置かれる床面から前記野菜ケースの野菜室扉の下端までの高さを４００ｍｍ以上としたことを特徴とする請求項１〜３のいずれかに記載の冷蔵庫。
【請求項５】
前記野菜ケースの前記排水穴の周辺の下面にリブを設けたことを特徴とする請求項１〜４のいずれかに記載の冷蔵庫。
【発明の詳細な説明】
【技術分野】
【０００１】
この発明は、野菜ケースを有する冷蔵庫に係り、特に、野菜ケースの排水を容易にした冷蔵庫に関するものである。
【背景技術】
【０００２】
従来の冷蔵庫は、冷蔵室の下部に設けられた野菜室、上面を開口した野菜容器、野菜容器の上部に密接された蓋体、野菜容器の底部に設けられた排水穴を閉塞する縦溝の入った排水栓、野菜容器の下部に設けられた複数の穴を設けた水受皿とから構成されている（例えば、特許文献１参照）。
【０００３】
【特許文献１】特開平７−３０５９４９号公報（段落００１１〜００１４、図１〜３）
【発明の開示】
【発明が解決しようとする課題】
【０００４】
従来の冷蔵庫は、野菜などのごみが野菜ケースの排水穴を塞いでしまうと水を排水ができなくなりケースが汚れ、また、その汚れた野菜ケースを清掃しようとしたとき、水受皿に溜まった水をこぼすことなく排水することは容易でないという問題があった。
【０００５】
この発明は、上記のような課題を解決するためになされたもので、容易に排水することができる冷蔵庫を提供することを目的とする。
【課題を解決するための手段】
【０００６】
この発明に係る冷蔵庫は、冷蔵庫本体の上部に冷蔵室、下部に冷凍室、前記冷蔵室と前記冷凍室の間に野菜室を各々備え、前記野菜室の前面に設けられた野菜室扉とともに引き出される野菜ケースと、この野菜ケースの底部に設けられた排水穴と、この排水穴を閉塞する排水栓と、を備え、前記野菜ケースを引き出したときに、前記野菜ケースの前記排水穴の下にバケツを置けるように前記野菜ケースを配設したものである。
【発明の効果】
【０００７】
この発明によれば、野菜ケースを引き出したときに、野菜ケースの排水穴の下にバケツを置けるように野菜ケースを配設したので、野菜ケースを冷蔵庫本体から取り外すことなくケースを洗浄し、容易に排水することができる。
【発明を実施するための最良の形態】
【０００８】
実施の形態１．
図１はこの発明の実施の形態１を示す冷蔵庫の斜視図、図２は野菜ケースの斜視図、図３は野菜ケースの排水穴の拡大断面図である。
【０００９】
図１において、冷蔵庫本体１の上部に冷蔵室７、下部に冷凍室１０、前記冷蔵室７の下部左に製氷室１２、右に切替室８を配し、冷凍室１０の上に、床面から２番目の扉に野菜室９を設け、冷蔵室７の前面に側部で支持された冷蔵室扉３を備え、冷凍室１０、製氷室１２、切替室８、野菜室９の前面に収納ケースとともに前後方向に引き出し可能な冷凍室扉６、製氷室扉１１、切替室扉４及び野菜室扉５を各々備えている。
【００１０】
野菜ケース２０は野菜室９の壁面に設けられたレール３３（後述の図５参照）に支持されたフレーム３１で支持され、フレーム３１に野菜室扉５が取り付けられている。この野菜ケース２０には、図２、図３に示すように野菜ケース２０底面の前寄りに野菜ケース２０を清掃した後の水を排水する排水穴２７が設けられており、通常の使用時は、野菜室を高湿状態に保つ為にその穴に排水栓２８が取付けられている。
また野菜ケース排水穴２７の周辺の下面側には、水が他の場所に回り込まないように高さＨ２（例えば２ｍｍ）以上のリブ２９が設置されている。
また、前記排水栓２８は、取付け脱着が容易で、かつ、水漏れのないようにゴムや軟質樹脂（例えばエラストマーやシリコンなど）等の材料で構成されている。
なお、野菜ケース２０の排水穴２７がある前寄りの底面は他の底面より一段低くし、排水が排水口２７に流れ易いようにしている。
【００１１】
また、図１に示すように、野菜ケース２０を引き出したときに、野菜ケース２０の排水穴２７の下にバケツ１００を置けるように野菜ケース２０が配設されている。
具体的には、例えば、一般に用いられている標準的なバケツの高さ２５５〜３５０ｍｍであるので、これにバケツ１００の設置と取り出し等の余裕として５０ｍｍを加え、冷蔵庫が置かれる床面から野菜室扉５の下端までの高さＨ１を４００ｍｍ以上とするのが望ましい。
【００１２】
図４は冷蔵庫の風路構成図である。図４において冷蔵庫本体１は、外箱２３と内箱２４及び両箱間に充填された断熱材２に囲まれた庫内背面に冷却器１３が設けられ、冷却器１３で冷やされた冷気を庫内へ送風する庫内ファン１４が設けられている。また、冷蔵庫本体１の上部から、冷蔵室７、切替室８、野菜室９及び冷凍室１０が設けられ、これらの各室の前面に、 冷蔵室扉３、切替室扉４、野菜室扉５及び冷凍室扉６が設けられている。
また、冷蔵室７と野菜室９を仕切る仕切りＡ２５、野菜室９の上面に密着した仕切りＢ２６、仕切りＡ２５と仕切りＢ２６によって形成される風路Ａ２１、野菜室９下部の仕切３６と冷凍室１０の仕切３７によって形成される風路Ｂ２２が設けられている。
【００１３】
また、冷蔵室７への冷気の送風路である冷蔵室用送風路１９、冷蔵室用送風路１９内に設けられ、冷蔵室７へ供給される冷気の量を調整する冷蔵室用ダンパ１５Ａ、切替室用送風路３４内に設けられ、切替室８へ供給される冷気の量を調整する切替室用ダンパ１５Ｂ、冷凍室用送風路３５内に設けられ、冷凍室１０へ供給される冷気の量を調整する冷凍室用ダンパ１５Ｃが設けられている。
また、冷蔵室用風路１９より冷蔵室７内に冷気を供給するための冷蔵室用吹出し口１６、切替室用送風路３４より切替室８内に冷気を供給するための切替室用吹出し口１７、冷凍室用送風路３５より冷凍室１０内に冷気を供給するための冷凍室吹出し口１８が設けられている。
【００１４】
図５は引出機構により野菜室扉５を引き出し、野菜ケース２０に溜まった水の排水を行うときの状態を示す部分破断側面図である。
引出機構は、図５に示すように、冷蔵庫本体１の内箱２４の壁面に、野菜室扉５に取り取り付けられたフレーム３１の移動ローラー（図示せず）が摺動するレール３３と、固定ローラー３２が設けられ、フレーム３１には通常使用時に野菜室扉５を引き出したときに、固定ローラー３２に当接して引出した野菜室扉５を止める第１ストッパー３８と、この第１ストッパー３８が固定ローラー３２を乗越えて野菜室扉５がさらに引出された時、固定ローラー３２に当接して引出した野菜室扉５を止めるとともに固定ローラー３２を支点として、野菜室扉５を下方へ傾斜させる第２ストッパー３９が設けられている。
【００１５】
次にこの発明の実施の形態１の動作について図１〜３、図５により説明する。
上記のように構成された冷蔵庫において、冷蔵庫の通常使用時に食品等の汚れで野菜ケース２０が汚れた時は、まず、野菜室扉５を通常使用時のように引き出し、野菜ケース２０をフレーム３１、レール３３を介して冷蔵庫本体１に取付けた状態で直接水を注いで水洗いしたり濡れた布きん等で野菜くず等を野菜ケース２０内に落とす。このとき、野菜室扉５に取り付けられたフレーム３１の第１ストッパー３８が固定ローラー３２に当接して止っている。
【００１６】
次に、図１に示すように野菜室扉５の下端と野菜ケース２０の底面に設けられた排水穴２７の下にバケツ１００等のある程度深さのある容器を置く。
そして、野菜くずや汚れた水を排水するために、野菜室扉５に取り付けられたフレーム３１に野菜ケース２０を載せたまま野菜室扉５を持ち上げ、フレーム３１の第１ストッパー３８が固定ローラー３２を乗越えて野菜室扉５をさらに引出し、第２のストッパー３９が固定ローラー３２に当接させると、ローラ３２が支点になり、フレーム３１が下方へ傾斜し、この状態が維持されるので、野菜室扉５と野菜ケース２０が下方へ傾斜した状態となる。
この状態で、野菜ケース２０の底面に設けられた排水穴の排水栓２８を取り外し、汚れた水をバケツ１００に排水する。このとき、排水穴２７の穴の周辺にリブ２９が設けられているので、排水が野菜ケース２０の底面を伝わって排水を受けるバケツ１００等の容器以外には流れ込まない。
【００１７】
以上のように、野菜ケース２０を引き出したときに、野菜ケース２０の排水穴２７の下にバケツ１００を置けるように野菜ケース２０を配設したので、野菜ケース２０が汚れたら、洗浄し、バケツ１００に容易に排水することができ、いつでも清潔に冷蔵庫を使用することができる。
【００１８】
また、野菜ケース２０を引き出したときに、野菜ケース２０を下方へ傾斜させる引出機構を備えたので、排水穴２７に向かって水が流れ易くすることができる。
【００１９】
また、冷蔵庫本体１が置かれる床面から野菜ケース２０の野菜室扉の下端までの高さを４００ｍｍ以上としたので、野菜ケース２０を洗浄し、バケツ１００に容易に排水することができる。
【００２０】
また、排水栓２８の材料はゴム、または、軟質樹脂としたので、野菜ケース２０の排水穴２７からの水漏れがないようにすることができる。
【００２１】
実施の形態２．
実施の形態１において、野菜ケース２０を清掃した後の排水を行うときは、野菜ケース２０を引き出したときに、野菜ケース２０の下にバケツを置けるようにし、さらに、野菜ケース２０を載せたまま野菜室扉５を持ち上げてさらに引き出し、フレーム３１の端の第２のストッパーを内箱２４に設けられている固定ローラー３２を支点にして野菜室扉５と野菜ケース２０を下方へ傾斜させて行っていたが、本実施の形態は野菜ケースを下方へ傾斜させないで排水するものである。
【００２２】
図６は、この発明の実施の形態２を示す冷蔵庫の野菜ケースの断面図である。図６において野菜ケース４０の底面は前方に向けて低く傾斜し、最も低い底部に排水穴４１が設けられ、排水穴４１の周辺の下面にはリブ４２が設けられ、また、排水穴４１を閉塞する排水栓４３が設けられている。なお、冷蔵庫の構成は、実施の形態１と同じなので説明を省略する。
【００２３】
次に実施の形態２の動作について図１，図６により説明する。
冷蔵庫の通常使用時に食品等の汚れで野菜ケース４０が汚れた時、野菜室扉５を引き出す。野菜ケース４０を冷蔵庫本体１に取付けた状態で直接水を注いで水洗いしたり濡れた布きん等で野菜くず等を野菜ケース４０内に落とす。野菜室扉５と野菜ケース４０の下に図１に示すようにバケツ１００等ある程度深さのある容器を置く。そして、野菜くずや汚れた水を排水するために野菜ケース４０の底部に設けられた排水栓４３を野菜ケース４０から取り外す。
野菜ケース４０の底面は前方に向けて低く傾斜しているので、汚れた水はこの傾斜した底面に沿って排水穴４１に向かって水が流れ、排水穴４１からバケツ１００に排水される。
【００２４】
このとき、排水穴４１の穴の周辺にリブ４２が設けられているので、排水が野菜ケース４０の底面を伝わって排水を受けるバケツ１００等の容器以外には流れ込まない。
【００２５】
以上のように、野菜ケース４０の底面を前方に向けて低く傾斜させ、排水穴４１を野菜ケース４０の最も低い底部に設けたので、野菜ケース４０が汚れた場合野菜ケース４０を下方へ傾斜させることなく、排水が容易にでき、ケース内をいつも清潔に保つことができる。
【図面の簡単な説明】
【００２６】
【図１】この発明の実施の形態１を示す冷蔵庫の斜視図である。
【図２】この発明の実施の形態１を示す冷蔵庫の野菜ケースの斜視図である。
【図３】この発明の実施の形態１を示す冷蔵庫の野菜ケースのの排水穴の拡大断面図である。
【図４】この発明の実施の形態１を示す冷蔵庫の風路構成図である。
【図５】この発明の実施の形態１を示す冷蔵庫の野菜ケースに溜まった水の排水を行うときの状態を示す部分破断側面図である。
【図６】この発明の実施の形態２を示す冷蔵庫の野菜ケースの断面図である。
【符号の説明】
【００２７】
１  冷蔵庫本体、５  野菜室扉、７  冷蔵室、９  野菜室、１０  冷凍室、２０  野菜ケース、２７、４１  排水穴、２８、４３  排水栓、３１  フレーム、２９、４２  リブ、１００  バケツ。
【図１】
2006084127.tif 000003
【図２】
2006084127.tif 000004
【図３】
2006084127.tif 000005
【図４】
2006084127.tif 000006
【図５】
2006084127.tif 000007
【図６】
2006084127.tif 000008